(57)【要約】【課題】略Ｕ字形基部５１の両端から延設されて拡開した抜け防止片５３，５４と、抜け防止片から切り起こされた係止片５７，５９とを備え、係止片に係止爪５８が設けられると共に切り起こし跡が開口部となったクリップ５０の装着を容易とするクリップ装着工具を提供する。【解決手段】クリップの基部５１側からクリップの開口部へ挿入されるクリップ挿入部１３，２３を一端側に有し、他端側には把持部１５，２５を有する一組のアーム１１，２１が、クリップ挿入部１３，２３と把持部１５，２５間で回動可能に軸着されて、把持部同１３，２３士を接近させる方向へのアーム１１，２１の回動によりクリップ挿入部１１３，２３同士の先端間隔が拡がるように構成した。【選択図】図５
0003128977.tif 000002
【実用新案登録請求の範囲】
【請求項１】
略Ｕ字形に屈曲形成された基部と、前記基部の両端から延設されて拡開した一組の抜け防止片と、前記抜け防止片から切り起こされて前記一組の抜け防止片間に位置する一組の係止片とを備え、前記一組の係止片の少なくとも一方には、前記一組の係止片間に挿入されるクリップ装着対象物の突起に形成されている横孔と係合可能な係止爪が設けられ、前記一組の抜け防止片における前記係止片の切り起こし跡の部分が開口部となっているクリップを、前記装着対象物の突起に装着するためのクリップ装着工具であって、
前記クリップの基部側から前記クリップの開口部へ挿入されて前記抜け防止片の先端側内面に到達可能なクリップ挿入部を一端側に有し、他端側には把持部を有する一組のアームが、前記クリップ挿入部と前記把持部間で回動可能に軸着されて、前記把持部同士を接近させる方向への前記アームの回動により前記クリップ挿入部同士の先端間隔が拡がるように構成されていることを特徴とするクリップ装着工具。
【請求項２】
前記一組のクリップ挿入部の少なくとも一方にクリップ吸着用磁石が設けられていることを特徴とする請求項１に記載のクリップ装着工具。
【請求項３】
前記一組のクリップ挿入部の先端同士が接近する方向に前記一組のアームの回動を付勢するバネが前記一組のアーム間に設けられ、
前記一組のクリップ挿入部の先端が前記クリップの一組の抜け防止片の開口部に挿入可能となる間隔で、前記バネの付勢による前記一組のアームの回動を止めるストッパーが、前記アームに設けられていることを特徴とする請求項１または２に記載のクリップ装着工具。
【考案の詳細な説明】
【技術分野】
【０００１】
本考案は、クリップを突起に容易に装着可能なクリップ装着工具に関する。
【背景技術】
【０００２】
従来、ピラーガーニッシュ等の自動車部品等においては、インナーパネル等への取付にクリップが多用されている。前記クリップとしては、金属製弾性板を屈曲させて形成した図７，図８に示すクリップ５０がある。前記クリップ５０は、略Ｕ字形に屈曲形成された基部５１と、前記基部５１の両端から延設されて拡開した一組の抜け防止片５３，５４と、前記抜け防止片５３，５４から切り起こされて前記一組の抜け防止片５３，５４間に位置する一組の係止片５７，５９とを備え、前記一組の係止片５７，５９の少なくとも一方には、図９および図１０に示すように前記一組の係止片５７，５９間に挿入されるクリップ装着対象物７０の突起７１（図示の例ではピラーガーニッシュの裏面に立設された突起）に形成されている横孔７２と係合可能な係止爪５８が設けられ、前記一組の抜け防止片５３，５４では前記係止片５７，５９の切り起こし跡の部分が開口部６１，６３となっている。
【０００３】
前記係止片５７，５９は、クリップ５０をクリップ装着対象物７０の突起７１に固定するためのものである。一方、前記抜け防止片５３，５４は、クリップ装着対象物７０を取付対象物、例えば車体のインナーパネル等に固定するためのものであり、前記取付対象物に形成されている取付孔に圧入されて取付孔の内周縁と係合し、その後は容易に抜けないように構成されている。
【０００４】
前記クリップ５０は、前記突起７１の頂部に前記係止片５７，５９の先端間を位置させて、親指等で強引に突起７１に押し込むことによって前記係止片５７，５９間に突起７１を挿入し、前記係止爪５８を突起７１の横孔７２に係合させることにより突起７１に装着される。
【０００５】
しかし、前記クリップ５０は、前記係止爪５８が突起７１の横孔７２に係合して抜けないようにするため、前記係止爪５８と係止片５９間の間隔ｄ１が、突起７１の厚みｄ２よりも所定量小にされていることから、前記クリップ５０の係止片５７，５９間に突起７１押し込む際に大きな力が必要となり、作業が容易ではないのみならず、指を痛めおそれもある。例えば、前記ｄ１が１．０ｍｍ、ｄ２が１．５ｍｍの場合、２０ＮＪ以上の力でクリップ５０を押圧しなければならないことがある。
【０００６】
【特許文献１】特開平７−３５１１５号公報
【特許文献２】実開平２−７６２１１号公報
【考案の開示】
【考案が解決しようとする課題】
【０００７】
本考案は前記の点に鑑みなされたものであり、クリップの装着を容易とするクリップ装着工具の提供を目的とする。
【課題を解決するための手段】
【０００８】
請求項１の考案は、略Ｕ字形に屈曲形成された基部と、前記基部の両端から延設されて拡開した一組の抜け防止片と、前記抜け防止片から切り起こされて前記一組の抜け防止片間に位置する一組の係止片とを備え、前記一組の係止片の少なくとも一方には、前記一組の係止片間に挿入されるクリップ装着対象物の突起に形成されている横孔と係合可能な係止爪が設けられ、前記一組の抜け防止片における前記係止片の切り起こし跡の部分が開口部となっているクリップを、前記装着対象物の突起に装着するためのクリップ装着工具であって、前記クリップの基部側から前記クリップの開口部へ挿入されて前記抜け防止片の先端側内面に到達可能なクリップ挿入部を一端側に有し、他端側には把持部を有する一組のアームが、前記クリップ挿入部と前記把持部間で回動可能に軸着されて、前記把持部同士を接近させる方向への前記アームの回動により前記クリップ挿入部同士の先端間隔が拡がるように構成されていることを特徴とする。
【０００９】
請求項２の考案は、請求項１において、前記一組のクリップ挿入部の少なくとも一方にクリップ吸着用磁石が設けられていることを特徴とする。
【００１０】
請求項３の考案は、請求項１または２において、前記一組のクリップ挿入部の先端同士が接近する方向に前記一組のアームの回動を付勢するバネが前記一組のアーム間に設けられ、前記一組のクリップ挿入部の先端が前記クリップの一組の抜け防止片の開口部に挿入可能となる間隔で、前記バネの付勢による前記一組のアームの回動を止めるストッパーが、前記アームに設けられていることを特徴とする。
【考案の効果】
【００１１】
請求項１の考案によれば、クリップ装着工具のクリップ挿入部をクリップの基部側からクリップの開口部へ挿入して前記抜け防止片の先端側内面にクリップ挿入部の先端を位置させ、その状態で把持部を強く握ることによって把持部同士を接近させれば、クリップ挿入部の先端間が拡がってクリップの抜け防止片および係止片間隔を拡大させることができる。その状態でクリップの係止片間に突起を挿入し、次にクリップ装着工具の握りを緩めれば、クリップの係止片の係止爪を突起の横孔に係合させることができる。その後、クリップ挿入部をクリップの開口部から抜き取ればクリップの装着が完了するため、指でクリップを突起に強引に押す必要がなくなり、指の損傷を生じるおそれなく容易かつスムーズにクリップを突起に装着することができる。
【００１２】
請求項２の考案によれば、クリップ装着工具のクリップ挿入部をクリップの基部側からクリップの開口部に挿入して前記抜け防止片の先端側内面にクリップ挿入部の先端を位置させた際に、クリップをクリップ吸着用磁石に吸着保持することができる。そのため、クリップ挿入部にクリップを吸着保持した状態でクリップ装着工具を下向きにしても、クリップ挿入部からクリップが落下するおそれがなくなり、突起へのクリップの装着をスムーズに行うことができる。
【００１３】
請求項３の考案によれば、一組のクリップ挿入部の先端が一組のクリップの抜け防止片の開口部に挿入可能となる間隔で、バネの付勢による一組のアームの回動がストッパーで止められるため、クリップの抜け防止片の開口部にクリップ装着工具のクリップ挿入部をスムーズに挿入することができ、クリップの装着作業が一層容易になる。
【考案を実施するための最良の形態】
【００１４】
図１は本考案の一実施例に係るクリップ装着工具を示す図、図２は同実施例においてクリップ挿入部先端間隔を拡げた状態のクリップ装着工具を示す図、図３は図１の各位置の断面図、図４は同実施例におけるストッパーおよびクリップ吸着用磁石の部分を示す斜視図、図５は同実施例においてクリップの開口部に挿入する際のクリップ装着工具を示す図、図６は同実施例においてクリップを突起に装着する際のクリップ装着工具を示す図である。
【００１５】
図１〜図３に示すクリップ装着工具１０は、図７，図８に示した前記クリップ５０を図１０に示すようなクリップ装着対象物７０の突起７１に装着するための工具である。前記クリップ装着工具１０は、一組のアーム１１，２１を回動可能に軸着したものからなる。前記一組のアーム１１，２１は、前記クリップ５０の基部５１側から抜け防止片５３，５４の開口部６１，６３に挿入されて前記抜け防止片５３，５４の先端側内面５３ａ，５４ａ（図７、図８に示す）に到達可能なクリップ挿入部１３，２３を一端側に有し、他端側には把持部１５，２５をそれぞれ有し、前記クリップ挿入部１３，２３と前記把持部１５，２５間で回動可能に軸着されて、前記把持部１５，２５同士を接近させる方向へのアーム１１，２１の回動により、前記クリップ挿入部１３，２３同士の先端１３ａ，２３ａ間隔ｓ（図２に示す）が拡がるようにされている。
【００１６】
本実施例のアーム１１，２１は、相手側のアームと対向する内側が開口した断面略コの字状の断面形状からなるアーム本体部１１ａ，２１ａの先端に、断面略四角形の棒状からなる前記クリップ挿入部１３，２３が固定された構成からなり、前記クリップ挿入部１３，２３寄りの位置においてピン等の軸部材３１，３１で互いに回動可能に軸着されている。
【００１７】
前記アーム本体部１１ａ，２１ａは、軸着部付近１１ｂ，２１ｂが相手アーム側へ円弧状に膨出し、その膨出部分が重ねられて前記軸部材３１で回動可能に軸着されている。前記アーム本体部１１ａ，２１ａに形成されている前記把持部１５，２５は、作業者が片手で握ることができる大きさとされ、また、前記クリップ挿入部１３，２３の先端１３ａ，２３ａが互いに接近した状態では、前記クリップ挿入部１３，２３の先端１３ａ，２３ａ間よりも外方へ大きく開いた状態となるように形状が形成されている。
【００１８】
一方、前記一組のクリップ挿入部１３，２３は、先端が細くなったくちばし状に形成され、前記クリップ５０の開口部６１，６３に挿入されて先端１３ａ，２３ａが、図５の（５−Ａ）および（５−Ｂ）のように前記クリップ５０の抜け防止片５３，５４における先端側内面５３ａ，５４ａに到達可能な大きさとされている。
【００１９】
前記一組のクリップ挿入部１３，２３の少なくとも一方には、クリップ吸着用磁石３３が取り付けられている。前記クリップ吸着用磁石３３は、前記クリップ挿入部１３，２３を前記クリップ５０の開口部６１，６３に挿入した際に、前記クリップ５０を吸引して保持するためのものであり、前記一組のクリップ挿入部１３，２３間に位置するように設けられている。本実施例のクリップ吸着用磁石３３は、図４に示すように、断面四角形のブロック形状からなって、一方のクリップ挿入部２３の内面、すなわち一方のクリップ挿入部２３において他方のクリップ挿入部１３との対向面に配置固定されている。前記クリップ吸着用磁石３３のクリップ挿入部２３への固定は、前記クリップ挿入部２３に配設されたクリップ吸着用磁石３３をクリップ挿入部２３と共に鉢巻き状に巻いてクリップ挿入部２３に圧着固定する筒状の固定金具３５によって行われている。なお、前記クリップ吸着用磁石３３を接着剤で前記クリップ挿入部２３に接着固定してもよい。さらに、前記クリップ吸着用磁石３３は、図５の（５−Ａ）および（５−Ｂ）に示すように、前記クリップ挿入部１３，２３が前記クリップ５０の開口部６１，６３（図７，図８に示す）に挿入されて、前記クリップ挿入部の先端１３ａ，１３ｂが前記クリップ５０の抜け防止片５３，５４における先端側内面５３ａ，５４ａに到達した際に、前記クリップ５０の基部５１が前記クリップ吸着用磁石３３と当接してクリップ５０を吸着する位置に配置される。
【００２０】
また、前記一組のアーム１１，２１間には、前記一組のクリップ挿入部１３，２３の先端１３ａ，２３ａ同士が接近する方向、換言すれば前記把持部１５，２５同士の間隔が拡がる方向に前記一組のアーム１１，２１の回動を付勢するバネ３７が設けられている。本実施例では、前記一組のアーム本体部１１ａ，２１ａ間に前記バネ３７が設けられている。
【００２１】
さらに、前記クリップ装着工具１０には、前記一組のクリップ挿入部１３，２３の先端１３ａ，２３ａが、前記クリップ５０の一組の抜け防止片５３，５４の開口部６１，６３に挿入可能な間隔で、前記バネ３７の付勢による前記一組のアーム１１，２１の回動を止めるストッパー３６が設けられている。本実施例におけるストッパー３６は、前記クリップ吸着用磁石３３の固定金具３５における他方のクリップ挿入部１３と対向する面で構成されている。前記ストッパー３６は、前記バネ３７の付勢によるアーム１１，２１の回動によって一組のクリップ挿入部１３，２３の先端１３ａ，２３ａが、前記クリップ５０の一組の抜け防止片５３，５４の開口部６１，６３へ挿入可能な間隔となったときに、前記クリップ挿入部１３と当接して、前記クリップ挿入部１３，２３の先端１３ａ，２３がさらに接近する方向へアーム１１，２１が回動するのを阻止するようになっている。
【００２２】
前記クリップ装着工具１０を用いて行う前記突起７１へのクリップ５０の装着は、次のようにして行われる。まず、前記クリップ装着工具１０の把持部１５，２５を片手で握り、図５の（５−Ａ）、（５−Ｂ）に示すように、前記クリップ挿入部１３，２３の先端１３ａ，２３ａを前記クリップ５０の抜け防止片５３，５４に形成されている開口部６１，６３（図７および図８に示す）に、前記クリップ５０の基部５１側から挿入し、前記クリップ挿入部１３，２３の先端１３ａ，２３を前記クリップ５０の抜け防止片５３，５４の先端内面５３ａ，５４ａに到達させる。その際、前記クリップ吸着用磁石３３に前記クリップ５０の基部５１が当接してクリップ５０が前記クリップ挿入部１３，２３に吸着保持されるする。
【００２３】
次に、前記把持部１５，２５を握っている手の握りを強めて、前記把持部１５，２５同士を接近させる。これによって、前記クリップ装着工具１０におけるクリップ挿入部１３，２３の先端１３ａ，２３ａ間が拡がって、図５の（５−Ｃ）に示すように、前記クリップ５０の抜け防止片５３，５４の間隔が拡げられ、その抜け防止片５３，５４から切り起こされている係止片５７，５９の間隔も拡がって前記係止片５７の先端の係止爪５８と係止片５９間の間隔が拡げられる。
【００２４】
前記クリップ５０の係止爪５８と係止片５９の間隔を拡げた状態で、図６の（６−Ａ）、（６−Ｂ）に示すように、前記クリップ５０の係止爪５８と係止片５９の間にクリップ装着対象物７０の突起７１を挿入してクリップ５０の基部５１に挿入する。その際、前記クリップ５０がクリップ吸着用磁石３３に吸着保持されているため、前記クリップ装着工具１０を下向きにしてもクリップ５０が落下するおそれがなく、作業を容易に行うことができる。しかも、前記クリップ装着工具１０によってクリップ５０の係止爪５８と係止片５９の間隔が拡げられているため、容易にクリップ５０の係止爪５８と係止片５９間に突起７１を挿入することができる。
【００２５】
その後、前記把持部１５，２５の握りを緩めて、前記一組のアーム１１，２１を前記バネ３７（図１および図２等に示す）の付勢により回動させて前記クリップ挿入部１３，２３同士を接近させる。これにより、前記クリップ５０は、それまでクリップ装着工具１０で拡開されていた状態から元の状態に戻り、前記クリップ５０の係止爪５８と係止片５９の間隔が狭くなって前記係止爪５８が前記突起７１の横孔７２に嵌り、前記クリップ５０が突起７１に固定される。次に図６の（６−Ｃ）に示すように、前記クリップ装着工具１０を前記クリップ５０から抜き取れば、クリップ５０の装着作業が終了する。
【００２６】
このように、前記クリップ装着工具１０を用いれば、前記クリップ５０を指で突起７１に押圧する必要がなくなるため、クリップの装着作業を容易かつ指を痛めることなく行うことができる。
【００２７】
前記クリップ５０が装着されたクリップ装着対象物７０は、取付対象部材に形成されている取付孔に前記クリップ５０が圧入されることにより、前記取付対象物に取り付けられる。
【００２８】
なお、前記実施例では、アームをアーム本体とクリップ挿入部の二部品で構成したが、アーム本体とクリップ挿入部が一体になった一つの部品で構成してもよい。また、前記クリップ挿入部をクリップの開口部に挿入可能な先端間隔にするストッパーは、他の構造であってもよい。例えば、アームのクリップ挿入部に突起状のストッパーを形成してもよい。
【図面の簡単な説明】
【００２９】
【図１】本考案の一実施例に係るクリップ装着工具を示す図である。
【図２】同実施例においてクリップ挿入部先端間隔を拡げた状態のクリップ装着工具を示す図である。
【図３】図１の各位置の断面図である。
【図４】同実施例におけるストッパーおよびクリップ吸着用磁石の部分を示す斜視図である。
【図５】同実施例においてクリップの開口部に挿入する際のクリップ装着工具を示す図である。
【図６】同実施例においてクリップを突起に装着する際のクリップ装着工具を示す図である。
【図７】クリップの斜視図である。
【図８】図７の８−８断面図である。
【図９】従来のクリップ装着方法を示す図である。
【図１０】クリップの係止爪と係止片間の間隔と突起の厚みとの関係を示す断面図である。
【符号の説明】
【００３０】
１０  クリップ装着工具
１１，２１  アーム
１３，２３  クリップ挿入部
１３ａ，２３ａ  クリップ挿入部の先端
１５，２５  把持部
３３  クリップ吸着用磁石
３７  バネ
５０  クリップ
５１  基部
５３，５４  抜け防止片
５７，５９  係止片
５８  係止爪
７０  クリップ装着対象物
７１  突起
７２  横孔
【図１】
0003128977.tif 000003
【図２】
0003128977.tif 000004
【図３】
0003128977.tif 000005
【図４】
0003128977.tif 000006
【図５】
0003128977.tif 000007
【図６】
0003128977.tif 000008
【図７】
0003128977.tif 000009
【図８】
0003128977.tif 000010
【図９】
0003128977.tif 000011
【図１０】
0003128977.tif 000012